(57)【特許請求の範囲】
【請求項１】
ベランダの手摺等の固定物に対して取付け可能な固着部と、その固着部へ一体に設けられ、少なくとも先端のアンテナ取付部がほぼ垂直に設置される左右一対のポールとを備えたアンテナ取付具であって、
前記固着部が、左右上下の各対称位置に透孔が形成され、表側面にポールが一体に設けられた１枚のプレートと、そのプレートの透孔に、前記固定物を挟み込んで裏面からネジ部を挿通し、表側よりナットで締着される一対のＵ状ボルトとから成り、前記固定物が垂直か水平かにより、前記Ｕ状ボルトの挿通取付を縦位置横位置のいずれか選択可能とし、  前記ポールが、１本のパイプをＶ状に屈曲形成してその屈曲部分を前記プレートの表側面の中央に溶着し、左右に突出した両先端部分をそれぞれ上方へ直角に折り曲げて形成されて成るアンテナ取付具。
【発明の詳細な説明】
【０００１】
【発明の属する技術分野】
本発明は地上波放送や衛星放送を受信するアンテナを取付けるためのアンテナ取付具に属する。
【０００２】
【従来の技術】
パラボラアンテナ，平面アンテナ等の衛星受信アンテナやＶＨＦ，ＵＨＦ等の地上波受信用アンテナを柱や壁あるいはベランダ等に設置する専用のアンテナ取付具としては、従来、マスト状に垂直方向に伸びた１本の棒から成るものがあった。
【０００３】
【発明が解決しようとする課題】
近年の放送電波は、衛星放送だけでもＢＳ放送とＣＳ放送の２種類あり、この双方を受信するためには夫々別の受信アンテナが必要となっている。
しかし、パラボラアンテナ等の衛星受信アンテナはその方向に精度が要求されるにもかかわらず、平面部が大きいために風の抵抗を受け易く、風により揺れたり方向が変化し易い。そのため、上記従来のマスト状のアンテナ取付具に衛星受信アンテナを複数取付けた場合、アンテナ取付具の固定部から離れた位置に取付けられたもの程、風等によるマストの揺れの影響を受け易く、その都度受信状態が悪くなってしまう。そのため１個のアンテナ取付具に複数の衛星受信アンテナを取付けるのは難しかった。
【０００４】
また、アンテナの方向が変化してしまった場合等の調整作業にしても、マストの上方に取付けたものは容易に手が届かないため面倒であったし、屋根の上等のＶＨＦ，ＵＨＦの受信設備である既設のマスト状のアンテナ取付け具に衛星受信アンテナを取付ける場合も、上記問題点に加え、マストの長さと他の設置アンテナとの兼ね合いからスペースも無く複数取付けることが難しかった。
そのため、アンテナ取付具には衛星受信アンテナは実質１個しか取付けることができず、衛星受信アンテナを複数設置する場合は複数のアンテナ取付具が必要であった。
【０００５】
そこで、本発明の課題は、パラボラアンテナ等の衛星受信アンテナを複数取付可能でしかもアンテナの方向調整等のメンテナンスを容易に行うことのできるアンテナ取付具を提供することにある。
【０００６】
【課題を解決するための手段】
上記課題を解決するため、請求項１の発明によるアンテナ取付具は、ベランダの手摺等の固定物に対して取付け可能な固着部と、その固着部へ一体に設けられ、少なくとも先端のアンテナ取付部がほぼ垂直に設置される左右一対のポールとを備えたアンテナ取付具であって、
前記固着部が、左右上下の各対称位置に透孔が形成され、表側面にポールが一体に設けられた１枚のプレートと、そのプレートの透孔に、前記固定物を挟み込んで裏面からネジ部を挿通し、表側よりナットで締着される一対のＵ状ボルトとから成り、前記固定物が垂直か水平かにより、前記Ｕ状ボルトの挿通取付を縦位置横位置のいずれか選択可能とし、
前記ポールが、１本のパイプをＶ状に屈曲形成してその屈曲部分を前記プレートの表側面の中央に溶着し、左右に突出した両先端部分をそれぞれ上方へ直角に折り曲げて形成されて成ることを特徴とする。
【００１１】
【発明の実施の形態】
以下、本発明を具体化した実施の形態について、図面を基に詳細に説明する。図１はアンテナ取付具の一例を示す斜視図、図２はパラボラアンテナを取り付けてベランダ等の柱に固定した状態を示す平面図である。図において２は左右両先端部にアンテナ取付部２ａ，２ａを設けたパイプであり、３はプレートである。このプレート３を設置場所に固定することでアンテナ固定具は設置される。
【００１２】
パイプ２は、全体が１本の中空管から成り、中央がＶ字状に折曲げられてその外側がプレート３に溶接されている。そして、プレート３から左右斜め前方に伸びたパイプ２は途中から上方に屈曲し、屈曲した先の垂直部分をアンテナ取付部２ａとして、先端にはパイプの開口部を密閉する合成樹脂製のキャップ８が装着されている。
【００１３】
プレート３はネジや釘、あるいはボルトを挿通する形状の異なる透孔６ａ，６ｂ，７（図４示）が上下あるいは左右の対称位置に設けられ、４は両先端にネジ部４ａを有するＵ字状のボルトである。図示するように固定場所が縦方向に伸びた柱１０ａの場合は、ボルト４を横にして左右の透孔７，７に裏側から挿通し、ナット５により柱１０ａに固定すれば良いし、横方向に伸びた手摺１０等に固定する場合は図３に示すようにボルト４を縦に使用して固定すれば良い。また、家の桁等に設置する場合は、透孔６ａ，６ｂに表側より釘やネジを挿入して固定すれば良い。
【００１４】
尚、パイプ２やプレート３は何れも金属製であり、クロムメッキやニッケルメッキしたものでも良いが、溶融亜鉛メッキしたものが耐久性に優れているため好適である。また、１２はアンテナ取付部２ａに取付けられたＣＳアンテナ、１４はＢＳアンテナであり、１１はアンテナ取付金具、１３，１５は共にコンバータを示している。
【００１５】
このように、左右にアンテナ取付部を設けることで、１個のアンテナ取付具に複数の衛星受信アンテナを取付けることができるし、水平方向に複数のアンテナを取付けるため、いずれのアンテナにも無理無く手が届き、アンテナやケーブル等の取付けや取付け後の修理，方向調整等のメンテナンスを容易に行うことができる。
また、アンテナ取付部の下部は水平方向に屈曲しているため、アンテナ固定金具１１が緩んでアンテナがずれたとしても屈曲部で止まるため大きく下方にずれ落ちたり落下することもない。
更に、プレートに対して取付部が高くならないためアンテナが受ける風圧により受信画像が乱れることもないし、既設のＶＨＦ，ＵＨＦの受信設備にも複数の衛星受信アンテナを簡単に取付けることができる。
【００１６】
図４は第２の実施の形態を示す図で、左右のアンテナ取付部の間隔を調整可能としている。図に於て１８は固定パイプ、１９は可動パイプであり、固定パイプ１８はプレート３ａに固着されているが、可動パイプ１９はプレート３ａに突設された軸固定具２０に軸支されている。
軸固定具２０は可動パイプ１９を上下から挟持するように設けた２枚の板体で、回動軸２０ｂを有し、可動パイプ１９は回動軸２０ｂに軸支され、左右回動可能で、軸固定具２０に穿設した円弧状の回動溝２０ａにパイプ１９を貫通して設けたボルト２１を係止することで任意の方向で固定可能となっている。
このように左右のアンテナの間隔を調整できるので、アンテナの大きさに合せ最小のスペースで設置することができる。また、可動パイプを固定パイプに重ね合わせれば梱包状態も小さくでき、保管や配送の効率を上げることができる。
【００１７】
また、図５は第３の実施の形態を示すもので、左右のアンテナ取付部を取外し可能としている。２２は連結用にプレート３ｂに固着されたパイプ固定具で、２３は先端にアンテナ取付部を有する延長パイプである。パイプ固定具２２は延長パイプ２３の内径よりわずかに小さい外径としてあり、延長パイプ２３が外嵌接続されようになっている。２４，２５は固定用のボルト，ナットであり、パイプ固定具２２，延長パイプ２３の双方にはボルト挿通用の挿通孔２２ａ，２３ａが設けられている。
このように構成すれば、梱包状態をさらに小さくすることができる。尚、取外し可能なパイプは片側だけであっても良い。
【００１８】
図６（ａ），（ｂ）はアンテナ取付具の他の実施の形態を示し、（ａ）は左右のアンテナ取付部２７ａ，２７ａをプレート３Ｃに平行に設けた分岐パイプ２７の両端部をコ字状に折曲げて形成し、プレート３ｃとパイプ２７とはプレート３ｃの中央に突設した中央パイプ２６を介して連結している。このように形成すれば、パイプの加工を簡略化でき、製造を比較的容易とすることができる。
【００１９】
また、（ｂ）に示すように、中央パイプ２６の先端にネジ孔２８ａ，２８ａを設けた受け板２８を溶着すると共に、分岐パイプ２７に補強板２９を固着して透孔２９ａ，２９ａを設け、使用時にボルト３０を透孔２９ａからネジ孔２８ａに螺入して組立るようにすれば、梱包を小さくすることもできる。
【００２０】
尚、上記実施の形態に於ては、アンテナ取付部の長さや左右のアンテナ取付部の距離を定めてはいないが、パイプは短い程アンテナが安定して固定される。そのため、アンテナ取付部はアンテナ固定具が取付可能であれば良いし、左右アンテナ取付部の距離は、取付けたアンテナが接触しない程度離れていれば良い。また、同様にアンテナ取付部のプレートから前方への突出度は小さい方が好ましい。その他、本発明の趣旨を逸脱しない範囲で各部の形状並びに構成を適宜に変更して具体化することも可能である。
【００２１】
【発明の効果】
以上詳述したように、請求項１の発明によれば、アンテナ取付部を左右に有するため、衛星受信アンテナを複数取付可能でしかもアンテナの方向調整等のメンテナンスを容易に行うことができる。また、アンテナ取付部の下部が屈曲しているため、取り付けたアンテナがずり落ちたりすることがない。
【図面の簡単な説明】
【図１】本発明の実施の形態の１例を示すアンテナ取付具の斜視図である。
【図２】図１のアンテナ取付具にアンテナを取り付けてベランダに固定した様子を示す平面図である。
【図３】図１のアンテナ固定具を手摺に固定した様子を示す主要部の斜視図である。
【図４】本発明の第２の実施の形態を示し、アンテナの間隔を調整可能した構成の主要部の斜視図である。
【図５】本発明の第３の実施の形態を示し、図１に示すパイプを着脱可能とした構成の主要部の斜視図である。
【図６】本発明の他の実施の形態の斜視図を示し（ａ）は一体型の図であり、（ｂ）は（ａ）のパイプ部を分離可能とした図である。
【符号の説明】
２・・パイプ、２ａ・・アンテナ取付部、３，３ａ，３ｂ，３ｃ・・プレート、４・・ボルト、４ａ・・ネジ部、５・・ナット、６，６ａ，６ｂ・・透孔、７・・透孔、１８・・固定パイプ、１９・・可動パイプ、２０・・軸固定具、２２・・パイプ固定具、２３・・延長パイプ、２６・・中央パイプ、２７・・分岐パイプ。
【図１】
0003762046.tif 000002
【図２】
0003762046.tif 000003
【図３】
0003762046.tif 000004
【図４】
0003762046.tif 000005
【図５】
0003762046.tif 000006
【図６】
0003762046.tif 000007